(57)【要約】【課題】ユーザが再生状況を容易に把握できるようにする。【解決手段】情報表示装置は、再生対象となるコンテンツに関する情報を表示する表示手段と、記憶手段と、前記コンテンツのそれぞれについて再生回数をカウントして前記記憶手段に記憶し、この記憶された再生回数に応じて前記コンテンツに関する情報の表示色を調整する（ステップＳ２２）制御手段と、を備える。【選択図】図５
2010039744.tif 000002
【特許請求の範囲】
【請求項１】
再生対象となるコンテンツに関する情報を表示する表示手段と、
前記コンテンツを記憶する記憶手段と、
前記コンテンツのそれぞれについて再生回数をカウントして前記記憶手段に記憶し、この記憶された再生回数に応じて前記コンテンツに関する情報の表示色を調整して前記表示手段に表示する制御手段と、
を備える情報表示装置。
【請求項２】
前記制御手段は、コンテンツの再生回数によって異なる色味で、各コンテンツに関する情報を前記表示手段に表示させる請求項１に記載の情報表示装置。
【請求項３】
前記制御手段は、各コンテンツに関する情報を全て同じ色味で表示し、その色味の濃度をコンテンツの再生回数によって異なる濃度とする請求項１に記載の情報表示装置。
【請求項４】
前記制御手段は、コンテンツの再生回数が多いほど濃度を大きくする請求項３に記載の情報表示装置。
【請求項５】
前記制御手段は、各コンテンツについて最終再生日時を検出して前記記憶手段に記憶し、この記憶された最終再生日時から所定期間経過したコンテンツについては、当該コンテンツについて前記記憶手段に記憶されている再生回数をリセットする請求項１〜４の何れか一項に記載の情報表示装置。
【請求項６】
前記記憶手段は、コンテンツのプレイリストを記憶し、
前記制御手段は、前記記憶されたコンテンツの再生回数が閾値を超えた場合、当該再生回数が閾値を超えたコンテンツを前記プレイリストに追加する請求項１〜５の何れか一項に記載の情報表示装置。
【請求項７】
再生対象となるコンテンツに関する情報を表示手段に表示する工程と、
前記コンテンツのそれぞれについてカウントされた再生回数に応じて、前記コンテンツに関する情報の表示色を調整して前記表示手段に表示する工程と、
を含む情報表示方法。
【請求項８】
コンピュータを、
再生対象となるコンテンツに関する情報を表示する表示手段、
前記コンテンツのそれぞれについて再生回数をカウントし、このカウントされた再生回数に応じて前記コンテンツに関する情報の表示色を調整して前記表示手段に表示する制御手段、
として機能させるためのプログラム。
【発明の詳細な説明】
【技術分野】
【０００１】
本発明は、情報表示装置、情報表示方法及びプログラムに関する。
【背景技術】
【０００２】
近年、ハードディスクを小型化して大量の音楽ファイルを保存することができる携帯型の音楽再生装置が普及している。
音楽ファイルは、ＭＰ３（MPEG1 Audio Layer3）、ＷＭＡ（Windows Media(登録商標) Audio）等のファイル形式が採用されており、これらのファイル形式の音楽ファイルにはアーティスト名やアルバム名、トラック名等の音楽ファイルに関する情報がタグ情報として付帯されている。
【０００３】
音楽再生装置ではこのタグ情報を利用して操作画面の表示が行われている。例えば、再生する音楽ファイルをユーザが選択するための操作画面においては、タグ情報に基づいてアーティストの一覧、アルバムの一覧、トラックの一覧等を表示することが可能となっている（例えば、特許文献１参照）。
【特許文献１】特開２００７−３３５０５８号公報
【発明の開示】
【発明が解決しようとする課題】
【０００４】
しかしながら、従来の操作画面では、黒色のゴシック体でトラック名の一覧を表示する等、一覧の表示形態が一律に同じであった。そのため、ユーザはどの音楽ファイルをどの程度再生させたか、或いは最近再生した音楽ファイルがどれか等、操作画面から再生状況を把握することができなかった。
【０００５】
本発明の課題は、ユーザが再生状況を容易に把握できるようにすることである。
【課題を解決するための手段】
【０００６】
本発明によれば、
再生対象となるコンテンツに関する情報を表示する表示手段と、
前記コンテンツを記憶する記憶手段と、
前記コンテンツのそれぞれについて再生回数をカウントして前記記憶手段に記憶し、この記憶された再生回数に応じて前記コンテンツに関する情報の表示色を調整して前記表示手段に表示する制御手段と、
を備える情報表示装置が提供される。
【０００７】
本発明によれば、
再生対象となるコンテンツに関する情報を表示手段に表示する工程と、
前記コンテンツのそれぞれについてカウントされた再生回数に応じて、前記コンテンツに関する情報の表示色を調整して前記表示手段に表示する工程と、
を含む情報表示方法が提供される。
【０００８】
本発明によれば、
コンピュータを、
再生対象となるコンテンツに関する情報を表示する表示手段、
前記コンテンツのそれぞれについて再生回数をカウントし、このカウントされた再生回数に応じて前記コンテンツに関する情報の表示色を調整して前記表示手段に表示する制御手段、
として機能させるためのプログラムが提供される。
【発明の効果】
【０００９】
本発明によれば、コンテンツに関する情報の表示色によって、ユーザは各コンテンツの再生状況を容易に把握することができる。
【発明を実施するための最良の形態】
【００１０】
以下示す第１〜第３実施形態では、情報表示装置の一例として、コンテンツである音楽ファイルを再生し、その再生に際して音楽ファイルに関する情報を表示する音楽再生装置を挙げて説明する。
【００１１】
〈第１実施形態〉
まず、構成を説明する。
図１に、第１実施形態における音楽再生装置１の機能的構成を示す。
音楽再生装置１は音楽ファイルを記憶し、再生する。また、音楽再生装置１は、音楽ファイルに関する情報を表示する情報表示装置でもある。
【００１２】
図１に示すように、音楽再生装置１は、制御部１１、記憶媒体１２、ＲＯＭ（Read Only Memory）１３、ＲＡＭ（Random Access Memory）１４、表示部１５、操作部１６、再生部１７を備えて構成されている。
【００１３】
制御部１１は、ＣＰＵ（Central Processing Unit）等から構成される制御手段であり、ＲＯＭ１３に記憶されたプログラムとの協働により、演算を行うとともに各部を集中制御して各種処理を実行する。
【００１４】
記憶媒体１２は、ハードディスクやフラッシュメモリ等の大容量のメモリから構成される記憶手段であり、音楽ファイルを記憶する。音楽ファイルは音源となる音楽データの他、音楽ファイルに関する情報（アーティスト名、アルバム名、ジャンル名、トラック名等の関連情報）を含むものである。また、音楽ファイルには、各音楽ファイルを識別するためのＩＤが含まれる。ＩＤについては後述する。
【００１５】
ＲＯＭ１３は、プログラムやプログラムによる各種処理の実行に必要なパラメータ等を記憶している記憶手段である。
例えば、ＲＯＭ１３は音楽ファイルのプレイリストを記憶している。プレイリストは音楽ファイルのデータベースであり、登録された音楽ファイルのファイル名等が記憶されている。プレイリストは、例えば再生回数が閾値以上の音楽ファイルを登録するプレイリストや、ユーザがお気に入りの音楽ファイルを登録するプレイリスト等、複数作成することができる。
【００１６】
また、ＲＯＭ１３は色味テーブルを記憶している。色味テーブルは音楽ファイルに関する情報の表示色の調整に用いられ、再生回数とその再生回数の場合に用いる表示色の色味の関係が規定されている。
図２に、一例としての色味テーブル１３１を示す。
色味テーブル１３１には、図２に示すように再生回数と、その再生回数の場合に用いるべき色味とが記憶されている。例えば、再生回数０の場合にはblackの色味が規定されており、再生回数１〜１０の場合にはgrayの色味が規定されている。
なお、この再生回数と色味はユーザが任意に設定可能な構成としてもよい。
【００１７】
ＲＡＭ１４は作業用のメモリ領域を有し、制御部１１による演算結果の一時記憶等に用いられる。
表示部１５はディスプレイを備える表示手段であり、制御部１１の表示制御に従って当該ディスプレイ上に各種操作画面や画像等を表示する。
【００１８】
操作部１６は再生キーや早送りキー、選択キー等の各種操作キーを備え、操作キーに応じた操作信号を制御部１１に出力する。
再生部１７はスピーカやイヤホン等を備え、制御部１１の再生制御に従って音楽ファイルの再生を行い、音出力を行う。
【００１９】
次に、音楽再生装置１の動作について説明する。
以下、音楽ファイルの再生回数を記憶し、コンテンツである音楽ファイルに関する情報として、音楽ファイルのトラックの一覧を表示するのに用いる表示色の色味を、その再生回数に応じて調整する例を説明する。
【００２０】
図３は、音楽ファイルの再生操作を行う際に音楽再生装置１で実行される処理の流れを示すフローチャートである。
ユーザにより再生対象の音楽ファイルについてトラックの一覧表示が指示されると、図３に示すように音楽ファイルのトラック一覧を表示部１５に表示する処理を行う（ステップＳ２０）。先に、トラック一覧が表示された後のステップＳ１１、１２の処理について説明し、ステップＳ２０のトラック一覧を表示する処理については後述する。
【００２１】
表示部１５に表示されたトラックの一覧の中から、操作部１６を介してユーザにより何れかのトラックが選択されると（ステップＳ１１；Ｙ）、制御部１１は選択されたトラックの音楽ファイルについて再生回数をカウントし、当該再生回数の情報を記憶する（ステップＳ１２）。
【００２２】
再生回数の記憶方法として、ここでは音楽ファイルに付されるＩＤを利用する方法を説明する。各音楽ファイルには１９バイトのＩＤが付されている。図４に示すＩＤはその一例である。ＩＤの先頭の「０ｘ」はＩＤが１６進数であることを示している。また、図４に示すように、下位から１〜４列目の「０００２」は音楽ファイルのトラック番号を示し、下位から５〜７列目の「００１」は音楽ファイルの再生回数を示している。下位から８〜１７列目の「０８０３２４１９３５」は音楽ファイルの再生を指示した最後の日時（以下、最終再生日時という）が２００８年３月２４日１９時３５分であることを示している。
【００２３】
制御部１１は、記憶媒体１２に記憶されている音楽ファイルのうち、選択された音楽ファイルのＩＤについて、下位から５〜７列目の再生回数を＋１だけインクリメントしてＩＤを書き換える。これにより、記憶媒体１２に再生回数の情報を記憶しておくことができる。
なお、音楽ファイル毎に再生回数を記憶するテーブルを作成し、ＲＯＭ１３に記憶させておき、音楽ファイルが選択される毎に制御部１１がこのテーブルにおいて選択された音楽ファイルの再生回数をインクリメントして再生回数をカウントすることとしてもよい。
【００２４】
次に、図５を参照して、ステップＳ２０の音楽ファイルのトラック一覧を表示する処理について説明する。
上述のように、各音楽ファイルは再生回数がカウントされ、記憶されている。
ユーザにより再生対象の音楽ファイルについてトラックの一覧表示が指示されると、図５に示すように、制御部１１は再生対象となる各音楽ファイルの再生回数を読み出す（ステップＳ２１）。具体的には、各音楽ファイルのＩＤの下位から５〜７列目にある再生回数を取得する。また、下位から１〜４列目にあるトラック番号の情報も取得する。
【００２５】
次いで、制御部１１はＲＯＭ１３に記憶されている色味テーブル１３１に従って、各音楽ファイルのトラック番号の情報を、それぞれの音楽ファイルから読み出した再生回数に応じた色味で一覧表示する（ステップＳ２２）。
【００２６】
図６に一覧表示の一例を示す。
図６に示すように、制御部１１は操作画面ｄ１上に各音楽ファイルのＩＤから読み出したトラック番号の情報を一覧表示する。操作画面ｄ１上のチェックマークはチェックマークが付されたトラックが選択状態であることを示している。このトラック番号は図６に示すように各音楽ファイルの再生回数によって異なる色味で表示する。例えば、図２に示す色味テーブル１３１では再生回数０の場合blackの色味と定められているので、再生回数０、トラック番号１の音楽ファイルについては、図６に示すように「black」の色味でトラック番号の情報「トラック１」を表示させる。同様に、再生回数１４、トラック番号４の音楽ファイルについては、図６に示すように「green」の色味でトラック番号の情報「トラック４」を表示させる。
【００２７】
以上のように、第１実施形態によれば、再生対象となる音楽ファイルのそれぞれについて再生回数をカウントしてＩＤに書き込むことにより、記憶媒体１２に記憶する。その後、音楽ファイルに関する情報としてトラックの情報を表示する際に、制御部１１が各音楽ファイルについて記憶された再生回数に応じてトラックの情報の表示色の色味を異なる色味とし、調整を行う。色味の違いから、ユーザは各音楽ファイルの再生回数の違いを視覚的に把握することができ、再生状況を容易に把握することができる。
【００２８】
〈第２実施形態〉
第１実施形態では再生回数に応じて、コンテンツに関する情報の表示色の色味を調整する例を説明したが、第２実施形態ではコンテンツに関する情報の表示色の色味は単色とし、その色の濃度を再生回数に応じて調整する例を説明する。
なお、第２実施形態に係る音楽再生装置は、第１実施形態に係る音楽再生装置と基本的な構成は同一であり、動作が異なる。よって、同一の構成部には同一の符号を付し、異なる構成部分及び動作についてのみ説明する。
【００２９】
第２実施形態においては、図２に示した色味テーブル１３１に代えて、濃度テーブルがＲＯＭ１３に記憶されている。濃度テーブルは、音楽ファイルに関する情報の表示色の濃度調整に用いられ、再生回数とその再生回数の場合に用いる濃度の関係が規定されている。
図７に、濃度テーブル１３２の例を示す。
濃度テーブル１３２には、図７に示すように再生回数と、その再生回数の場合に用いるべき濃度とが記憶されている。例えば、再生回数が多くなるほど濃度が大きくなるように、再生回数０の場合には５０％の濃度、再生回数１〜１０の場合には６０％の濃度と徐々に濃度が大きく規定され、再生回数４０以上は最大濃度である１００％が規定されている。
なお、この再生回数と濃度はユーザが任意に設定可能な構成としてもよい。
【００３０】
次に、動作について説明する。
第２実施形態においても、音楽ファイルの再生操作を行う際に、音楽ファイルに関する情報としてトラックの一覧を表示する例を説明する。
第２実施形態において音楽ファイルの再生操作を行う際に音楽再生装置１により実行される処理の流れは、第１実施形態において図３に示した流れと同じであり、音楽ファイルのトラック一覧表示の処理（図３のステップＳ２０）の内容が異なるのみである。よって、ここでは図８を参照して、第２実施形態に係る音楽ファイルのトラック一覧表示の処理のみについて説明する。
【００３１】
ユーザにより再生対象の音楽ファイルについてトラックの一覧表示が指示されると、図８に示すように、制御部１１は一覧表示するトラックの再生回数を読み出す（ステップＳ３１）。各音楽ファイルは再生対象としてそのトラックが選択される毎に、再生回数がカウントされ、ＩＤにその再生回数が記憶されているので（図３のステップＳ１１、１２）、制御部１１は各音楽ファイルのＩＤの下位から５〜７列目にある再生回数と、下位１〜４列目にあるトラック番号の情報を取得する。
【００３２】
次いで、制御部１１はＲＯＭ１３に記憶されている濃度テーブル１３２に従って、各音楽ファイルのトラック番号の情報を単色で一覧表示し、その濃度を、それぞれの音楽ファイルから読み出した再生回数に応じた濃度とする（ステップＳ３２）。
図９に、その一覧表示例を示す。
図９に示すように、制御部１１は操作画面ｄ２上に各音楽ファイルのＩＤから読み出したトラック番号の情報を全て黒色で一覧表示する。操作画面ｄ２上のチェックマークはチェックマークが付されたトラックが選択状態であることを示している。また、トラック番号は各音楽ファイルの再生回数によって異なる濃度で表示する。例えば、図７に示す濃度テーブル１３２では再生回数０の場合５０％の濃度と定められているので、再生回数０、トラック番号１の音楽ファイルについては、図９に示すように５０％の濃度でトラック番号の情報「トラック１」を表示させる。同様に、再生回数１４、トラック番号４の音楽ファイルについては、図９に示すように７０％の濃度でトラック番号の情報「トラック４」を表示させる。
【００３３】
以上のように、第２実施形態によれば、再生対象となる音楽ファイルのそれぞれについて再生回数をカウントしてＩＤに書き込むことにより、記憶媒体１２に記憶する。その後、音楽ファイルに関する情報としてトラックの情報を表示する際に、制御部１１が各音楽ファイルについて記憶された再生回数に応じてトラックの情報の表示色の濃度を異なる濃度とし、調整を行う。濃度の違いから、ユーザは各音楽ファイルの再生回数の違いを視覚的に把握することができ、再生状況を容易に把握することができる。
【００３４】
また、制御部１１は音楽ファイルの再生回数が多いほど濃度を大きくするので、濃度が大きさから再生回数が多いことをユーザは容易に把握することができる。
【００３５】
〈第３実施形態〉
第３実施形態では、音楽ファイルを最後に再生した最終再生日時を記憶し、この最終再生日時から所定期間経過した音楽ファイルについては、その音楽ファイルに関する情報を最近再生していないことを示す色味で表示する例を説明する。
【００３６】
第３実施形態に係る音楽再生装置は、第１実施形態に係る音楽再生装置１と構成は同一であるので、同一構成部には同一の符号を付してその説明を省略し、異なる動作についてのみ説明する。
【００３７】
図１０は、音楽ファイルの再生操作を行う際に音楽再生装置１において行われる処理を示すフローチャートである。
ユーザにより再生対象の音楽ファイルについてトラックの一覧表示が指示されると、図１０に示すように音楽ファイルのトラック一覧表示の処理を行う（ステップＳ５０）。先に、トラック一覧が表示された後の処理（図１０のステップＳ４１〜Ｓ４３）について説明し、ステップＳ５０のトラック一覧表示の処理については後述する。
説明の前提として、音楽ファイルの再生回数が０の状態では、トラックは全てblackの色味で表示されていることとする。
【００３８】
表示部１５に表示されたトラックの一覧の中から、ユーザにより何れかのトラックが選択されると（ステップＳ４１；Ｙ）、制御部１１は選択されたトラックの音楽ファイルの再生回数及び最終再生日時を記憶する（ステップＳ４２）。具体的には、記憶媒体１２に記憶されている音楽ファイルのＩＤに含まれる再生回数を＋１インクリメントするとともに、最終再生日時を現在日時に書き換える。
【００３９】
次いで、制御部１１は表示部１５に表示しているトラックの一覧において、選択された音楽ファイルのトラックの情報を、最近再生したことを示す色味であるredで表示させる（ステップＳ４３）。
図１１に、その表示例を示す。
図１１に示すように、操作画面ｄ３には各音楽ファイルのトラック番号の情報が一覧表示されている。操作画面ｄ３上のチェックマークはチェックマークが付されたトラックが選択状態であることを示している。この一覧において、トラック番号２の音楽ファイルが選択された場合、当該トラック番号２を示す情報「トラック２」をredの色味で表示する。
【００４０】
次に、ステップＳ５０の音楽ファイルのトラック一覧表示の処理について、図１２を参照して説明する。
上述のように各音楽ファイルは再生対象としてそのトラックが選択される毎に、再生回数がカウントされるとともに最終再生日時が検出され、ＩＤにその再生回数及び最終再生日時が記憶されている。ユーザによりトラックの一覧表示の指示がなされると、図１２に示すように制御部１１は再生対象の音楽ファイルのＩＤから最終再生日時の情報を読み出す（ステップＳ５１）。次いで、制御部１１は現在日時と最終再生日時とを比較し、最終再生日時から所定期間、例えば７日が経過している音楽ファイルを検出する（ステップＳ５２）。
【００４１】
次いで、制御部１１は各音楽ファイルのトラックの一覧を表示部１５に表示する。そして、各音楽ファイルのうち最終再生日時から所定期間経過している音楽ファイルが検出された場合、その一覧において最終再生日時から所定期間経過した音楽ファイルのトラックの情報を、通常の色味blackで表示する（ステップＳ５３）。つまり、再生対象として音楽ファイルが選択された時点でその音楽ファイルは、最近再生したことを示す色味redで表示され（上述のステップＳ４３）、所定期間の経過によってblackの色味で表示されることになる。よって、所定期間を経過しているか否かによって、各音楽ファイルのトラックの情報はredかblack何れかの色味で色分けされることとなる。
例えば、所定期間が７日である場合、図１１に示す一覧表示において、最終再生日時が所定期間を経過したトラック１、３、４、７についてはその文字の色味はblackで表示する。一方、最終再生日時が所定期間を経過していないトラック２、５、６についてはその文字の色味はredで表示する。
【００４２】
次いで、制御部１１は最終再生日時から所定期間経過した音楽ファイルの再生回数をリセットすると（ステップＳ５４）、本処理を終了する。具体的には、記憶媒体１２に記憶されている音楽ファイルのＩＤに含まれる再生回数を、再生回数０を示す「０００」に書き換えてリセットする。
【００４３】
以上のように、第３実施形態によれば、再生対象となる音楽ファイルのそれぞれについて再生回数をカウントするとともに最終再生日時を検出してＩＤに書き込むことにより、記憶媒体１２に記憶する。制御部１１は、音楽ファイルに関する情報としてトラックの情報を表示する際に、各音楽ファイルについて記憶された最終再生日時から所定期間を経過したか否かによって、トラックの情報の表示色の色味を異なる色味で表示するよう、調整を行う。色味の違いから、ユーザは各音楽ファイルが所定期間内に再生したものかどうかを視覚的に把握することができ、再生状況を容易に把握することができる。
【００４４】
なお、上述の第１〜第３実施形態は本発明の好適な一例であり、これに限定されるものではない。
例えば、再生対象のコンテンツに関する情報として、音楽ファイルのトラックの一覧を表示する場合について説明したが、他の音楽ファイルに関する情報、例えば再生対象の音楽ファイルのアルバムの一覧や、アーティストの一覧等についても、同様に処理すればよい。
【００４５】
また、コンテンツは音楽に限らず、文書や画像、ゲーム等が挙げられ、そのようなコンテンツに関する情報としては文書名、画像ファイル名、ゲーム名、文書や画像の作成日時が挙げられる。このようなコンテンツに関する情報を表示するものであれば、例えばデジタルカメラや携帯電話等にも本発明を適用可能である。
【００４６】
また、第１実施形態や第２実施形態において、制御部１１が各音楽ファイルの再生回数が閾値、例えば４０回を超えるかどうかを判断し、閾値を超える場合にはその閾値を超える音楽ファイルをプレイリストに追加することとしてもよい。これによれば、再生回数が多く、よく再生されている音楽ファイルを自動的にプレイリストに新規登録することができ、ユーザの登録操作を省略して利便性を向上させることができる。
【００４７】
また、第１実施形態や第２実施形態において、各音楽ファイルの最終再生日時を検出し、当該最終再生日時から所定期間経過した音楽ファイルについては再生回数をリセットする構成としてもよい。具体的には、制御部１１がトラック一覧において音楽ファイルが選択されたときに、そのときの現在日時を最終再生日時として検出し、当該最終再生日時をＩＤに書き込むことにより記憶媒体１２に最終再生日時を記憶する。その後、トラック一覧表示を行う際に、各音楽ファイルについて記憶されている最終再生日時と現在日時を比較して、最終再生日時から所定期間、例えば７日が経過している場合にはその音楽ファイルについてＩＤに記憶している再生回数を「０００」とし、リセットする。これにより、所定期間内での再生回数によって再生色の調整をすることができ、ユーザは所定期間内での再生状況を把握することができる。
【００４８】
また、第３実施形態において第２実施形態を組み合わせることとしてもよい。例えば、第３実施形態において、最終再生日時から所定期間を経過した音楽ファイルのトラックの情報についてはblackの色味、所定期間を経過していない音楽ファイルのトラックの情報についてはredの色味で表示するが、ここでさらに再生回数によって異なる濃度で表示すればよい。例えば、再生回数０で最終再生日時から所定期間を経過しているトラック番号２の音楽ファイルについては、図７の濃度テーブル１３２に従ってトラックの情報「トラック２」の文字を、濃度５０％のblackの色味で表示する。一方、再生回数２２で最終再生日時から所定期間を経過していないトラック番号５の音楽ファイルについては、トラックの情報「トラック３」の文字を、濃度８０％のredの色味で表示する。これによれば、所定期間内に再生されたかどうかに加えて、どの程度再生されているのかを容易に把握することができる。
【００４９】
また、第１実施形態や第２実施形態では、音楽ファイルのトラックの情報の表示色の色味や濃度を調整する例を説明したが、表示色の調整に加えて表示サイズの調整を行うこととしてもよい。
例えば、第１実施形態において表示色の色味と表示サイズを調整する場合、図１３に示すように再生回数とその再生回数の場合に表示に用いるべき色味、サイズを規定した色味サイズテーブル１３３をＲＯＭ１３に記憶しておく。色味サイズテーブル１３３では、再生回数が多いほど表示サイズが大きくなるように規定しておく。そして、トラックの一覧表示をする際、制御部１１がこの色味サイズテーブル１３３に従い、再生回数に応じた表示色及び表示サイズの調整を行う（図５のステップＳ２２）。
【００５０】
図１４は、その表示例を示す図である。
図１４に示すように、制御部１１は操作画面ｄ４上に各音楽ファイルのＩＤから読み出したトラック番号の情報を一覧表示する。操作画面ｄ４上のチェックマークはチェックマークが付されたトラックが選択状態であることを示している。図１３の色味サイズテーブル１３３によれば、再生回数０の場合blackの色味、表示サイズは０％と定められているので、図１４に示すようにトラック番号の情報「トラック１」の文字を「black」の色味で表示する。また、その文字のサイズは規定のサイズが１２ポイントであればその７５％の９ポイントで表示する。
【００５１】
この構成によれば、色味の違いによって再生状況を把握できるとともに、表示サイズは再生回数が多いほど大きくなるので、どのトラックの音楽ファイルが再生回数が多いのか、視覚的に把握しやすくなる。
【図面の簡単な説明】
【００５２】
【図１】第１実施形態における音楽再生装置の機能的構成を示す図である。
【図２】色味テーブルの一例である。
【図３】第１実施形態において、音楽ファイルの再生操作を行う際に音楽再生装置によって実行される処理を示すフローチャートである。
【図４】音楽ファイルに付されるＩＤを示す図である。
【図５】第１実施形態に係る音楽ファイルのトラック一覧表示の処理を示すフローチャートである。
【図６】トラック一覧の表示例である。
【図７】濃度テーブルの一例である。
【図８】第２実施形態に係る音楽ファイルのトラック一覧表示の処理を示すフローチャートである。
【図９】トラック一覧の表示例である。
【図１０】第３実施形態において、音楽ファイルの再生操作を行う際に音楽再生装置によって実行される処理を示すフローチャートである。
【図１１】トラック一覧の表示例である。
【図１２】第３実施形態に係る音楽ファイルのトラック一覧表示の処理を示すフローチャートである。
【図１３】色味サイズテーブルの一例である。
【図１４】他の実施形態によるトラック一覧の表示例である。
【符号の説明】
【００５３】
１    音楽再生装置
１１    制御部
１２    記憶媒体
１３    ＲＯＭ
１４    ＲＡＭ
１５    表示部
１６    操作部
１７    再生部
【図１】
2010039744.tif 000003
【図２】
2010039744.tif 000004
【図３】
2010039744.tif 000005
【図４】
2010039744.tif 000006
【図５】
2010039744.tif 000007
【図６】
2010039744.tif 000008
【図７】
2010039744.tif 000009
【図８】
2010039744.tif 000010
【図９】
2010039744.tif 000011
【図１０】
2010039744.tif 000012
【図１１】
2010039744.tif 000013
【図１２】
2010039744.tif 000014
【図１３】
2010039744.tif 000015
【図１４】
2010039744.tif 000016